(57)【要約】【課題】ポリッシャの小型化を図る。【解決手段】このポリッシャ１０は、駆動源となるモータ１２を収納するハウジング１１と、モータ１２が備えるモータ軸１２ａの軸先端部側に着脱自在に設置可能であるとともに、モータ１２からの駆動力によって駆動される平板状の先端工具１３と、モータ軸１２ａと直交するように配置されるとともに、先端工具１３が設置されるモータ軸１２ａの軸先端部側とは逆側近傍に配置されてモータ１２の動作制御を行う平板状の回路基板２１と、を備えるものである。そして、このポリッシャ１０が備える回路基板２１は、モータ軸１２ａが貫通する貫通穴２１ａを備えて構成されている。【選択図】図２
2019014029.tif 000002
【特許請求の範囲】
【請求項１】
駆動源となるモータを収納するハウジングと、
前記モータが備えるモータ軸の軸先端部側に着脱自在に設置可能であるとともに、前記モータからの駆動力によって駆動される平板状の先端工具と、
前記モータ軸と直交するように配置されるとともに、前記先端工具が設置される前記モータ軸の軸先端部側とは逆側近傍に配置されて前記モータの動作制御を行う平板状の回路基板と、
を備えるポリッシャであって、
前記回路基板は、前記モータ軸が貫通する貫通穴を備えることを特徴とするポリッシャ。
【請求項２】
請求項１に記載のポリッシャにおいて、
前記回路基板は、回路素子を備えて構成されており、モータ軸直交方向視で前記モータに対して前記回路素子が重畳するように配置されることを特徴とするポリッシャ。
【請求項３】
請求項１に記載のポリッシャにおいて、
前記回路基板は、ダイアル素子を備えて構成されており、モータ軸方向視で前記モータに対して前記ダイアル素子が重畳するように配置されることを特徴とするポリッシャ。
【請求項４】
請求項１〜３のいずれか１項に記載のポリッシャにおいて、
前記モータは、ブラシレスモータであることを特徴とするポリッシャ。
【発明の詳細な説明】
【技術分野】
【０００１】
本発明は、駆動源となるモータを収納するハウジングと、モータが備えるモータ軸の軸先端部側に着脱自在に設置可能であるとともに、モータからの駆動力によって駆動される平板状の先端工具と、モータの動作制御を行う回路基板と、を備えるポリッシャに関するものである。
【背景技術】
【０００２】
従来から、研磨作業等を行う際に用いられる電動工具としてポリッシャが知られている。ポリッシャは、例えば、車両のボディの塗装面に対して研磨加工や仕上げ加工、艶出し加工などを行う場合に用いられる。そして、従来のポリッシャにおいて、例えば回路基板を作業者が把持を行う握りの部分に配置する構成が公知である（例えば、下記特許文献１参照）。
【先行技術文献】
【特許文献】
【０００３】
【特許文献１】特許第５９１４５３１号公報
【発明の概要】
【発明が解決しようとする課題】
【０００４】
しかしながら、上掲した特許文献１に代表される従来技術に係るポリッシャでは、握りの部分に収まらないサイズの回路基板を採用しようとした場合には、必然的にポリッシャが大型化してしまい、作業性の悪化や製造コストの増加といった課題が生じてしまうこととなる。特に、特許文献１に開示されるように、駆動源にブラシレスモータを採用した場合には、当該ブラシレスモータの動作制御を行うために回路基板が大きくならざるを得ず、その結果として、ポリッシャの大型化が避けられなかった。
【０００５】
本発明は、上述した従来技術に存在する課題に鑑みて成されたものであり、その目的は、比較的大きな回路基板を用いる場合であっても、従来技術に比べてポリッシャの小型化を行うことのできるポリッシャの新たな構成を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係るポリッシャ（１０）は、駆動源となるモータ（１２）を収納するハウジング（１１）と、前記モータ（１２）が備えるモータ軸（１２ａ）の軸先端部側に着脱自在に設置可能であるとともに、前記モータ（１２）からの駆動力によって駆動される平板状の先端工具（１３）と、前記モータ軸（１２ａ）と直交するように配置されるとともに、前記先端工具（１３）が設置される前記モータ軸（１２ａ）の軸先端部側とは逆側近傍に配置されて前記モータ（１２）の動作制御を行う平板状の回路基板（２１）と、を備えるポリッシャ（１０）であって、前記回路基板（２１）は、前記モータ軸（１２ａ）が貫通する貫通穴（２１ａ）を備えることを特徴とするものである。
【０００８】
本発明に係るポリッシャ（１０）において、前記回路基板（２１）は、回路素子（２２）を備えて構成されており、モータ軸直交方向視で前記モータ（１２）に対して前記回路素子（２２）が重畳するように配置されることとすることができる。
【０００９】
また、本発明に係るポリッシャ（１０）において、前記回路基板（２１）は、ダイアル素子（２３）を備えて構成されており、モータ軸方向視で前記モータ（１２）に対して前記ダイアル素子（２３）が重畳するように配置されることとすることができる。
【００１０】
さらに、本発明に係るポリッシャ（１０）において、前記モータ（１２）は、ブラシレスモータであることとすることができる。
【発明の効果】
【００１１】
本発明によれば、比較的大きな回路基板を用いる場合であっても、従来技術に比べてポリッシャの小型化を行うことのできるポリッシャの新たな構成を提供することができる。
【図面の簡単な説明】
【００１２】
【図１】本実施形態に係るポリッシャの上面視を示す外観図である。
【図２】図１中の符号Ａ−Ａ断面を示す縦断面図である。
【図３】図２中の符号Ｂ−Ｂ断面を示す横断面図である。
【図４】図２中の符号Ｃ−Ｃ断面を示す横断面図である。
【図５】本実施形態に係るポリッシャが備える回路基板を示す図であり、特に、上面視を示している。
【図６】本実施形態に係るポリッシャが備える回路基板を示す図であり、特に、下面視を示している。
【図７】本実施形態に係るポリッシャが備える回路基板を示す図であり、特に、図５中の符号Ｄ−Ｄ断面を示している。
【発明を実施するための形態】
【００１３】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１４】
図１は、本実施形態に係るポリッシャの上面視を示す外観図であり、図２は、図１中の符号Ａ−Ａ断面を示す縦断面図である。また、図３は、図２中の符号Ｂ−Ｂ断面を示す横断面図であり、図４は、図２中の符号Ｃ−Ｃ断面を示す横断面図である。さらに、図５〜図７は、本実施形態に係るポリッシャが備える回路基板を示す図であり、特に、図５が上面視を示し、図６が下面視を示し、図７が図５中の符号Ｄ−Ｄ断面を示している。
【００１５】
なお、本実施形態では、説明の便宜のために、ポリッシャ１０の方向を図１および図２で示すように定義した。すなわち、本実施形態に係るポリッシャ１０を作業者が把持したときに、作業者から見た場合の方向に基づいて「前、後、上、下、左、右」を決定してある。
【００１６】
本実施形態に係るポリッシャ１０は、駆動源となるモータ１２を収納するハウジング１１と、ハウジング１１の前方側下方向の位置に配置された平板状の先端工具１３と、モータ１２の動作制御を行う平板状の回路基板２１と、を有して構成されている。
【００１７】
ハウジング１１は、前後方向に長く、左右方向の幅が狭く構成されており、操作者からの握りを受けるハンドル把持部１１ｂが後方に向けて延びる円筒形状で構成されている。ハンドル把持部１１ｂの後方側の端部には、外部電源から電力供給を受けるために不図示の電源コードが接続されるが、この電源コード（不図示）は、電気コネクタ１４を介してハウジング１１のハンドル把持部１１ｂに取り付けられている。
【００１８】
また、ハウジング１１の前方側には、モータ１２や回路基板２１を収納する駆動機構収納部１１ａが配置されている。この駆動機構収納部１１ａに配置されるモータ１２は、モータ軸１２ａが鉛直方向に向くように縦置きに配置されている。また、本実施形態のモータ１２は、ブラシレスモータとして構成されている。
【００１９】
先端工具１３は、モータ１２が備えるモータ軸１２ａの軸先端部側に着脱自在に設置可能であるとともに、モータ１２からの駆動力によって駆動される平板状の部材である。そして、先端工具１３の下面に対してスポンジ製のバフやウール製のバフ、あるいは紙やすりなどの研磨手段を設置することで、被加工部材に対する研磨作業が実施可能となる。
【００２０】
回路基板２１は、図５〜図７においてより詳細に示されるように、平板状をした板状部材に対して回路素子２２やダイアル素子２３といった電子回路機器を組み込んだ部材である。本実施形態では、モータ１２がブラシレスモータとして構成されているので、回路基板２１に組み込まれた回路素子２２やダイアル素子２３といった電子回路機器によって電子制御を行うことで、モータ１２の起動制御や回転制御といった動作制御を実行できるようになっている。
【００２１】
そして、本実施形態に係る回路基板２１は、図２および図３に示されるように、回路基板２１の平板面が鉛直方向に配置されたモータ軸１２ａと直交するように配置されるとともに、先端工具１３が設置されるモータ軸１２ａの軸先端部側とは逆側近傍に配置されている。また、本実施形態に係る回路基板２１には、略中央の位置に対してモータ軸１２ａが貫通するための貫通穴２１ａが形成されている。したがって、図２および図３に示されるように、ハウジング１１内に収納される際にモータ軸１２ａは回路基板２１の貫通穴２１ａ内に導通した状態で設置されるので、回路基板２１はハウジング１１の外郭形状を大きくすることなくハウジング１１内に収納されることとなり、結果として本実施形態に係るポリッシャ１０の小型化が実現されている。
【００２２】
また、本実施形態に係る回路基板２１には、モータ１２の起動制御等を行うための回路素子２２が複数個設置されている。また、これら複数個の回路素子２２は、モータ軸１２ａが導通する貫通穴２１ａを避けるように貫通穴２１ａの前後位置に配置されている。また結果的に、本実施形態に係る回路素子２２は、モータ軸直交方向視（つまり、図２の前後方向で見たとき）でモータ１２に対して回路素子２２が重畳するように配置される構成となっている。つまり、本実施形態に係る回路基板２１では、回路素子２２がハウジング１１内でモータ１２を避けるように効果的に配置されているので、ハウジング１１を大型化することなく回路基板２１を収めることが実現されている。このような構成によって、本実施形態では、ポリッシャ１０の小型化が実現されている。
【００２３】
さらに、本実施形態に係る回路基板２１には、モータ１２の回転制御等を行うためのダイアル素子２３が回路基板２１の前方の位置に１つ設置されている。このダイアル素子２３は、ハウジング１１の前面側の開口からダイアル操作部がアクセス可能な状態で配置されているので、操作者は、ダイアル素子２３のダイアル操作部を回転調節することで、モータ１２の回転数の調節を実行できるようになっている。そして、本実施形態に係るダイアル素子２３は、モータ軸方向視（つまり、図２の上下方向で見たとき）でモータ１２に対してダイアル素子２３の一部分が重畳するように配置される構成となっている（図４参照）。つまり、本実施形態に係る回路基板２１では、ダイアル素子２３がハウジング１１内でモータ１２を避けつつもハウジング１１の外郭形状を大型化させないように効果的かつ効率的に配置されているので、ハウジング１１を大型化することなく回路基板２１を収めることが実現されている。このような構成によって、本実施形態では、ポリッシャ１０の小型化が実現されている。
【００２４】
以上、本発明の好適な実施形態について説明したが、本発明の技術的範囲は上記実施形態に記載の範囲には限定されない。上記実施形態には、多様な変更又は改良を加えることが可能である。
【００２５】
例えば、上述した本実施形態に係るポリッシャ１０は、モータ１２がブラシレスモータとして構成されたものであったが、本発明の適用範囲は、ブラシレスモータを用いるものには限られず、ブラシ付きのモータを使用するポリッシャに対しても適用可能である。
【００２６】
その様な変更又は改良を加えた形態も本発明の技術的範囲に含まれ得ることが、特許請求の範囲の記載から明らかである。
【符号の説明】
【００２７】
１０  ポリッシャ、１１  ハウジング、１１ａ  駆動機構収納部、１１ｂ  ハンドル把持部、１２  モータ、１２ａ  モータ軸、１３  先端工具、１４  電気コネクタ、２１  回路基板、２１ａ  貫通穴、２２  回路素子、２３  ダイアル素子。
【図１】
2019014029.tif 000003
【図２】
2019014029.tif 000004
【図３】
2019014029.tif 000005
【図４】
2019014029.tif 000006
【図５】
2019014029.tif 000007
【図６】
2019014029.tif 000008
【図７】
2019014029.tif 000009